(57)【要約】【課題】本発明は、多層外観を表示可能のボタンモジュールを提供する。【解決手段】第１の弾性体と、フィルム分離層と、第１の色付け層と、第２の弾性体と、第２の色付け層と、第３の色付け層とが含有される。フィルム分離層が、当該第１の弾性体の上に設置され、第１の色付け層が、当該第１の弾性体と当該フィルム分離層との間に設置され、第２の弾性体が、当該フィルム分離層の上に設置され、第２の色付け層が、当該第２の弾性体と当該フィルム分離層との間に設置され、第３の色付け層が、当該第２の弾性体の上に設置される。上記の複合材の結合により、一体成型により、多層外観を実現するボタンモジュールが得られる。【選択図】図４
2007311197.tif 000002
【特許請求の範囲】
【請求項１】
第１の弾性体と、
当該第１の弾性体の上に設置されるフィルム分離層と、
当該第１の弾性体と当該フィルム分離層との間に設置される第１の色付け層と、
当該フィルム分離層の上に設置される第２の弾性体と、
当該第２の弾性体と当該フィルム分離層との間に設置される第２の色付け層と、
当該第２の弾性体の上に設置される第３の色付け層と、が含有されることを特徴とする多層外観を表示可能のボタンモジュール。
【請求項２】
更に、当該第３の色付け層の外表面に保護層が形成されることを特徴とする請求項１に記載の多層外観を表示可能のボタンモジュール。
【請求項３】
当該保護層は、耐磨耗の樹脂フィルムや印刷インキフィルムであることを特徴とする請求項２に記載の多層外観を表示可能のボタンモジュール。
【請求項４】
当該第１の弾性体と第２の弾性体は、弾性を有するゴム材やプラスチック材からなることを特徴とする請求項１に記載の多層外観を表示可能のボタンモジュール。
【請求項５】
当該フィルム分離層は、プラスチック材からなるプラスチックシートやフィルムであることを特徴とする請求項１に記載の多層外観を表示可能のボタンモジュール。
【請求項６】
当該フィルム分離層は、金属材からなる金属シートやフィルムであることを特徴とする請求項１に記載の多層外観を表示可能のボタンモジュール。
【請求項７】
当該フィルム分離層は、ＥＬ発光シートであることを特徴とする請求項１に記載の多層外観を表示可能のボタンモジュール。
【請求項８】
当該フィルム分離層は、ガラス材からなることを特徴とする請求項１に記載の多層外観を表示可能のボタンモジュール。
【請求項９】
当該第１、第２及び第３の色付け層は、複数の図柄や符号、文字或いは数字を示すことを特徴とする請求項１に記載の多層外観を表示可能のボタンモジュール。
【請求項１０】
当該図柄、符号、文字或いは数字は、金属材からなることを特徴とする請求項９に記載の多層外観を表示可能のボタンモジュール。
【請求項１１】
第１の弾性体と、
当該第１の弾性体の上に設置されるフィルム分離層と、
当該第１の弾性体と当該フィルム分離層との間に設置される第１の色付け層と、
当該フィルム分離層の上に設置される第２の弾性体と、
当該第２の弾性体の上に設置される第３の色付け層と、が含有されることを特徴とする多層外観を表示可能のボタンモジュール。
【請求項１２】
第１の弾性体と、
当該第１の弾性体の上に設置されるフィルム分離層と、
当該フィルム分離層の上に設置される第２の弾性体と、
当該第２の弾性体と当該フィルム分離層との間に設置される第２の色付け層と、
当該第２の弾性体の上に設置される第３の色付け層と、が含有されることを特徴とする多層外観を表示可能のボタンモジュール。
【請求項１３】
第１の弾性体と、
当該第１の弾性体の上に設置される第２の弾性体と、
当該第１の弾性体と当該第２の弾性体との間に設置される第１の色付け層と、
当該第２の弾性体の上に設置される第３の色付け層と、が含有されることを特徴とする多層外観を表示可能のボタンモジュール。
【発明の詳細な説明】
【技術分野】
【０００１】
本発明は、ボタンモジュールに関し、特に、一体成型構造で、多層外観の変化を有する多層外観を表示可能のボタンモジュールに関する。
【背景技術】
【０００２】
図１のように、従来のボタンモジュールは、弾性体１０ａと、印刷することにより当該弾性体１０ａの外部に設置された色付け層２０ａとが含有され、当該色付け層２０ａは、裏側に、印刷や塗布の方式により、複数の図柄や符号、文字或いは数字が配置される。
【０００３】
従来のボタンモジュールは、色付け層２０ａだけについて変化でき、そのため、単一の効果が可能で、製品の外観が制限されている。
【０００４】
図２は、従来のボタンモジュールの一つの実例であり、弾性体１０ｂと、印刷方式により当該弾性体１０ｂの上に設置されるプラスチックボタン体２０ｂと色付け層３０ｂとがある。当該色付け層３０ｂは、印刷や塗布の方式により、プラスチックボタン体２０ｂの下に設置され、複数の図柄や符号、文字或いは数字を示す。当該色付け層３０ｂは、同じ方式によりプラスチックボタン体２０ｂの上に設置されてもよく（図３のように）、プラスチックボタン体２０ｂに当該色付け層３０ｂに印刷した後、貼り付けの方式により、弾性体１０ｂとプラスチックボタン体２０ｂとを、ボタンモジュールに結合する。
【０００５】
しかしながら、この方式による従来のボタンモジュールは、当該プラスチックボタン体２０ｂの使用が増加されるため、厚さが厚くて、薄化できず、また、工程が複雑で、そして、プラスチック部品の射出は金型加工によって制限されて、外形を任意に変更することができなく、そして、必要とする金型や治具が多いため、コストが高くなる。
【０００６】
本発明は、上記の問題を解消するために、慎重に研究し、そして、学理を合わせて、設計が合理的で、上記の問題を有効に改善できる本発明を提案する。
【発明の開示】
【発明が解決しようとする課題】
【０００７】
本発明の主な目的は、多種類の色と層次の（層構造による）変化効果を有し、信頼度が高いボタンモジュールを提供する。
【０００８】
本発明の他の目的は、多種類の層次効果を有し、一体成型で、工程を簡素化できるボタンモジュールを提供する。
【課題を解決するための手段】
【０００９】
本発明は、上記の目的を達成するため、第１の弾性体と、当該第１の弾性体の上に設置されるフィルム分離層と、当該第１の弾性体と当該フィルム分離層との間に設置される第１の色付け層と、当該フィルム分離層の上に設置される第２の弾性体と、当該第２の弾性体と当該フィルム分離層との間に設置される第２の色付け層と、当該第２の弾性体の上に設置される第３の色付け層とが含有される多層外観を表示可能のボタンモジュールである。
【００１０】
以下、本発明が既定の目的を達成するための技術や方法そしてその効果について、図面を参照しながら詳しく説明し、本発明の目的や特徴が、それによって、良く分かると思うが、図面や明細書等は、参考や説明のためのものだけで、本発明は、それによって制限されない。
【発明を実施するための最良の形態】
【００１１】
図４は、本発明に係わる多層外観を表示可能のボタンモジュールの第１の実施例であり、第１の弾性体１０、第１の色付け層２０、フィルム分離層３０、第２の色付け層４０、第２の弾性体５０、第３の色付け層６０及び保護層７０が含有される。
【００１２】
第１の弾性体１０は、弾性を有するゴム材やプラスチック材からなり、例えば、シリコンゴムである。
【００１３】
フィルム分離層３０は、透明のプラスチック材からなるプラスチックのシートやフィルムや金属材からなる金属シートやフィルム、ＥＬ（Ｅｌｅｃｔｒｏ−ｌｕｍｉｎｅｓｃｅｎｔ）発光シート或いはガラス材からなるガラスシートであり、一体成型により当該第１の弾性体１０の上に設置されて、当該第１の弾性体１０の剛性が向上される。
【００１４】
第１の色付け層２０は、印刷や塗布により、当該第１の弾性体１０と当該フィルム分離層３０との間に設置され、第１の色付け層２０に、色々の色を有する図柄や符号、文字或いは数字がある。
【００１５】
第２の弾性体５０は、弾性を有するゴム材やプラスチック材からなり、例えば、シリコンゴムであり、一体成型により、フィルム分離層３０の上に設置され、フィルム分離層３０を介して、第１の弾性体１０と結合して、剛性が高い複合材構造を形成する。
【００１６】
第２の色付け層４０は、色々の色を有する図柄や符号、文字或いは数字があり、同じように、印刷や塗布により、第２の弾性体５０とフィルム分離層３０との間に設置され、第２の色付け層４０において、更に、金属材で図柄や符号、文字或いは数字を製作しても良く、これにより、金属光沢が発生し、外観が上質感になる。
【００１７】
第３の色付け層６０は、色々の色を有する図柄や符号、文字或いは数字があり、印刷や吹き付きにより、第２の弾性体５０の上に設置される。第３の色付け層６０と第２の色付け層４０そして第１の色付け層２０との間に、それぞれ、第２の弾性体５０とフィルム分離層３０が設置され、当該三つの色付け層６０、４０、２０は、離隔されるように設置されるため、当該三つの色付け層６０、４０、２０の図柄や符号、文字或いは数字により、多層次の（多層構造による）外観効果が得られる。
【００１８】
保護層７０は、耐磨耗の樹脂フィルムや印刷インキフィルムであり、当該第３の色付け層６０の外表面に設置され、その裏側に、印刷や塗布により、複数の図柄や符号、文字或いは数字が配置され、保護層７０が長期に使用されても高度の耐磨耗性を有し、簡単に剥げないため、当該図柄や符号、文字或いは数字を保護して、外観の信頼度が向上される。
【００１９】
図５は、本発明に係わる多層外観を表示可能のボタンモジュールの第２の実施例であり、第１の実施例との差異は、フィルム分離層３０と当該第１の弾性体１０との間に、第１の色付け層２０が設置され、第１の色付け層２０と第３の色付け層６０が、離隔されるように設置されるため、多層次の外観変化が実現される。
【００２０】
図６は、本発明に係わる多層外観を表示可能のボタンモジュールの第３の実施例であり、第１の実施例との差異は、フィルム分離層３０と第２の弾性体５０との間に、第２の色付け層４０が設置され、第２の色付け層４０と第３の色付け層６０が、離隔されるように設置されるため、多層次の外観変化が実現される。
【００２１】
図７は、本発明に係わる多層外観を表示可能のボタンモジュールの第４の実施例であり、第１の実施例との差異は、第２の弾性体５０が、一体成型により、第１の弾性体１０の上に設置され、また、第１の弾性体１０と第２の弾性体５０との間に、第１の色付け層２０が設置され、第１の色付け層２０と第３の色付け層６０が、離隔されるように設置されるため、多層次の外観変化が実現される。
【００２２】
以上のように、本発明に係わる多層外観を表示可能のボタンモジュールは、押出成型による上記の異なる材質や異なる色の複数層からなる複合材が、一体成型であるため、ボタンモジュールの外観に、多層変化や信頼度が実現され、また、他に貼り付け加工が必要なく、プラスチック部品の金型や治具の数を低減でき、そして、工程を簡素化して、一つの機械で直接に押出成型することができるため、コストの低下が実現され、そして、薄化のボタンモジュールが提供される。
【００２３】
以上は、ただ、本発明のより良い実施例であり、本発明は、それによって制限されず、また、本発明の明細書や図面の内容に従う等価の変更や修正は、全てが、本発明に係わる特許請求の範囲に含まれる。
【図面の簡単な説明】
【００２４】
【図１】従来のボタンモジュールの概念図である。
【図２】従来の他のボタンモジュールの概念図である。
【図３】従来の更に他のボタンモジュールの概念図である。
【図４】本発明に係わる多層外観を表示可能のボタンモジュールの第１の実施例の概念図である。
【図５】本発明に係わる多層外観を表示可能のボタンモジュールの第２の実施例の概念図である。
【図６】本発明に係わる多層外観を表示可能のボタンモジュールの第３の実施例の概念図である。
【図７】本発明に係わる多層外観を表示可能のボタンモジュールの第４の実施例の概念図である。
【符号の説明】
【００２５】
１０  第１の弾性体
２０  第１の色付け層
３０  フィルム分離層
４０  第２の色付け層
５０  第２の弾性体
６０  第３の色付け層
７０  保護層
【図１】
2007311197.tif 000003
【図２】
2007311197.tif 000004
【図３】
2007311197.tif 000005
【図４】
2007311197.tif 000006
【図５】
2007311197.tif 000007
【図６】
2007311197.tif 000008
【図７】
2007311197.tif 000009